(57)【要約】【課題】  撮像装置のハウジングに組み付けられるそれぞれの付属品を最小限の締め付けネジを使用して締め付けることができるように締め付けネジの締め付け位置が最適化した撮像装置のハウジングアセンブリを提供する。【解決手段】  撮像装置の一方の外郭を形成する外ハウジングと；外ハウジングに折り畳み自在に組み付けられる液晶モニターと；ディスプレイパネルアセンブリと撮像装置の内側とを区画する内側カバーと；外ハウジングの内側面に固定され、作動部が外ハウジングの外側に露出する複数の付属ユニットとを含み、液晶モニターと付属ユニットは、内側カバーを締め付ける締め付けネジを共有して、内側カバーと共に外ハウジングに組み付けられる。【選択図】      図２
2005260958.tif 000002
【特許請求の範囲】
【請求項１】
撮像装置の一方の外郭を形成する外ハウジングと；
前記外ハウジングに折り畳み自在に組み付けられる液晶モニターと；
前記ディスプレイパネルアセンブリと撮像装置の内側とを区画する内側カバーと；
前記外ハウジングの内側面に固定され、作動部が前記外ハウジングの外側に露出する複数の付属ユニットとを含み、
前記液晶モニターと付属ユニットは、前記内側カバーを締め付ける締め付けネジを共有して、前記内側カバーと共に前記外ハウジングに組み付けられることを特徴とする撮像装置のハウジングアセンブリ。
【請求項２】
前記付属ユニットは、撮像装置の機能選択キーユニットと、外部電源及び入出力端子ユニット及び、把手部材保持ブラケットとを含むことを特徴とする請求項１に記載の撮像装置のハウジングアセンブリ。
【発明の詳細な説明】
【技術分野】
【０００１】
本発明は、撮像装置に係り、より詳しくは、組立に使用する締め付けネジのような締め付け部材の個数を節減し、生産コスト及び作業工数を軽減し得る撮像装置のハウジングアセンブリに関する。
【背景技術】
【０００２】
一般に、撮像装置１セットを組み立てるためには、約２００個以上の締め付けネジが必要である。即ち、セット内にはディスプレイ手段を含み、各種のレンズユニットと端子部品及び制御基板が設けられたボード部品などを撮像装置の外郭を構成するハウジングに締め付けネジで締め付けなければならないため、部品数を最小化するとしても各ユニットを固定させるためには、多数の締め付けネジを必要とする。
【０００３】
このように多数の締め付けネジを使用するということは、小型化または軽量化しつつある撮像装置の開発過程において大きな制約要因と働く。即ち、締め付けネジの素材自体がスチール製である場合が多く、製品が小型化するにつれて小径の締め付けネジを作業者が一々固定位置に締め付けなければならないため、作業工数が増すという問題点があった。従って、それぞれの付属品をハウジング側に締め付ける締め付けネジの個数を節減する撮像装置のハウジングアセンブリの開発が切実に要求されている。
【発明の開示】
【発明が解決しようとする課題】
【０００４】
本発明は、前記のような問題点に鑑みてなされたものであって、その目的は、撮像装置のハウジングに組み付けられるそれぞれの付属品を最小限の締め付けネジを使用して締め付けることができるように締め付けネジの締め付け位置が最適化した撮像装置のハウジングアセンブリを提供することである。
【課題を解決するための手段】
【０００５】
前記のような目的を達成するための本発明に係る撮像装置のハウジングアセンブリは、撮像装置の一方の外郭を形成する外ハウジングと；前記外ハウジングに折り畳み自在に組み付けられる液晶モニターと；前記ディスプレイパネルアセンブリと撮像装置の内側とを区画する内側カバーと；前記外ハウジングの内側面に固定され、作動部が前記外ハウジングの外側に露出する複数の付属ユニットとを含み、前記液晶モニターと付属ユニットは、前記内側カバーを締め付ける締め付けネジを共有して、前記内側カバーと共に前記外ハウジングに組み付けられることを特徴とする。
【０００６】
本発明の好適な実施例によれば、前記付属ユニットは、撮像装置の機能選択キーユニットと、外部電源及び入出力端子ユニットと、把手部材保持ブラケットとを含むことが好ましい。
【発明の効果】
【０００７】
以上で説明したような本発明に係る撮像装置のハウジングアセンブリによれば、それぞれの付属品を固定するのに必要な締め付けネジの締め付け位置を最適化し、一つの締め付けネジで複数の付属品をハウジング側に組み付けることができ、締め付けネジの個数を減らし、作業工数を減らすとともに製品も軽量化することができる。
【発明を実施するための最良の形態】
【０００８】
以下、添付した図面を参照して、本発明の好適な実施例に係る撮像装置のハウジングアセンブリについて詳しく説明する。
【実施例１】
【０００９】
図１は、本発明に係る撮像装置を示す斜視図である。同図に示すように、撮像装置１００には、動画を撮影するＤＶＣ（デジタルビデオカメラ）１０と静止画を撮影するＤＳＣ（デジタルスチルカメラ）２０がそれぞれ設けられ、これらのいずれもが撮像装置の前面に向かって配されている。そして、ユーザーが撮影する対象を確認するためのビューファインダー３０が装置の後面に配される。
【００１０】
また、撮像装置１００の外ハウジング１０１には、液晶モニター４０が開閉自在に組み付けられ、ユーザーが液晶モニター４０の画面に表示される画像を確認しながら動画または静止画を撮影することができる。
【００１１】
そして、外ハウジング１０１の上側面の付近には、機能選択キーユニット５０が外部に突出して組み付けられ、把手ストライプを保持する把手部材保持ブラケット６０と外部電源及び入出力端子ユニット７０が組み付けられ、前記外部電源及び入出力端子ユニット７０は、開閉自在のカバー１０２により封じ止められている。
【００１２】
前記のような構造を有する撮像装置１００は、動画と高画質の静止画が撮像可能な別のモジュールが同時に具現されるため、ユーザーは、動画の撮影のためのカムコーダーと高画質の静止画の撮影のためのカメラを別体に買い上げる必要がなく、一つのシステムだけで二つの機能をいずれも行うことができる。
【００１３】
一方、図２は、外ハウジング１０１を裏面側にして示す分解斜視図である。同図に示すように、外ハウジング１０１には、液晶モニター４０が折り畳まれた状態で収められる部分に収め開口部１０３が形成されている。収め開口部１０３は、液晶モニター４０を外ハウジング１０１の内側に収容するために形成したものであって、この収め開口部１０３により液晶モニター４０が外ハウジング１０１の外側に突出しなくなる。従って、収め開口部１０３により撮像装置１００の内部が露出することを防止するために、これを封じ止める内側カバー８０が必要とされる。このような内側カバー８０により収め開口部１０３を液晶モニター４０を収容するリセスにすることができ、前記リセスにて外ハウジング１０１の内部と外部とを区画することができる。
【００１４】
また、内側カバー８０には、撮像装置の機能キーと、スピーカなどを組み付けることができる。即ち、内側カバー８０に撮像装置１００の付加機能を果たし得る各種の機能キーを設け、液晶モニター４０が開けられた時、作動部が外部に露出できる。
【００１５】
一方、液晶モニター４０と、機能選択キーユニット５０と、把手部材保持ブラケット６０と、外部電源及び入出力端子ユニット７０のぞれぞれは、外ハウジング１０１の裏面側に内側カバー８０と共に締め付けネジにより締め付けられる。このために、液晶モニター４０の締め付け部４１と、機能選択キーユニット５０の締め付け部５１と、把手部材保持ブラケット６０の締め付け部、及び外部電源及び入出力端子ユニット７０の締め付け部７１は、内側カバー８０の固定のために締め付けネジで締め付けられる内側カバー締め付け部８１とその位置を共有するように、内側カバー８０の外周面に沿って配される内側カバー締め付け部８１にそれぞれ対応する位置に配される。
【００１６】
従って、外ハウジング１０１の裏面と、内側カバー８０を締め付ける間、液晶モニター４０と、機能選択キーユニット５０と、把手部材保持ブラケット６０と、外部電源及び入出力端子ユニット７０をそれぞれの配設位置に並べ、前記内側カバー締め付け部８１とそれぞれ対応して配し、内側カバー８０を締め付けながら同時にそれぞれのユニットを一緒に締め付けていく。
【００１７】
このような構成によれば、それぞれのユニットを締め付けるために別の締め付けネジを使用して締め付けることに比べて、使用する締め付けネジの個数を減らすことができ、組立の作業工数を節減することができるため、組立にかかる時間を短縮することができる。
【産業上の利用可能性】
【００１８】
本発明の撮像装置のハウジングアセンブリは、画像の書き込み／記録を行う撮像装置の外ハウジングアセンブリの組立を簡素化するのに使用され得る。
【図面の簡単な説明】
【００１９】
【図１】撮像装置の斜視図である。
【図２】本発明に係る撮像装置のハウジングアセンブリを示す分解斜視図である。
【符号の説明】
【００２０】
１０    ＤＶＣ
２０    ＤＳＣ
３０    ビューファインダー
４０    液晶モニター
５０    機能選択キーユニット
６０    把手部材保持ブラケット
７０    電源及び入出力端子ユニット
８０    内側カバー
１００  撮像装置
１０１  外ハウジング
１０２  カバー
１０３  収め開口部
【図１】
2005260958.tif 000003
【図２】
2005260958.tif 000004